(57)【特許請求の範囲】
【請求項１】
歩行型耕耘機の伝動ケース下端部から左右両側に突出する両回転軸に着脱可能に装着され、耕耘爪取付け胴部の外周に多数の耕耘爪を取付けた耕耘ロ−タにおいて、
上記両耕耘ロ−タの外側端部に、外周部分に複数の刃を形成した側板を着脱可能に設け、上記側板の左右のものを反転して交換可能とすると共に、上記刃を、一方に回転したときは土壌に対して食い込み勝手に、他方に回転したときは土壌に対して浮き上がり勝手に作用するように構成したことを特徴とする耕耘ロ−タ。
【発明の詳細な説明】
【０００１】
【発明の属する技術分野】
本発明は、歩行型耕耘機の伝動ケース下端部から左右両側に突出する回転軸に装着される両耕耘ロ−タの外側端部に、外周部分に複数の刃を有する側板を着脱可能に、かつ左右の側板を交換可能に設けた耕耘ロ−タに関する。
【０００２】
【従来の技術】
従来、歩行型耕耘機の伝動ケース下端部から左右両側に突出する両回転軸に着脱可能に装着され、耕耘爪取付け胴部の外周に多数の耕耘爪を取付けた耕耘ロ−タが知られている。そして、回転軸に耕耘ロ−タを装着して耕耘、砕土、中耕、代掻、培土など各種の作業を行うようにしている。
【０００３】
【発明が解決しようとする課題】
ところで、上記従来の耕耘ロ−タにおいては、作業対象の圃場の土壌が硬い場合、あるいは柔らかい場合でも同じ使い方をしている。このため、作業対象土壌が火山灰土、砂地、湿田などのように柔らかい場合には、耕耘爪が土壌中に深く入り込んで耕耘ロ−タが沈みがちとなり、耕耘抵抗が大きくなるばかりでなく、操縦者は握ったハンドルにより機体を持ち上げ気味に作業せねばならず、疲労が大きくなるという問題点があった。反対に、作業対象土壌が硬い場合には、耕耘爪が土壌中に浅くしか入らず、耕耘ロ−タが耕耘反力により浮きがちとなり、操縦者は機体を押さえつけるようにして作業せねばならず、やはり疲労が大きくなるという問題点があった。
本発明は、上記の問題点を解決することを目的になされたものである。
【０００４】
【課題を解決するための手段】
上記の目的を達成するために本発明は、歩行型耕耘機の伝動ケース下端部から左右両側に突出する両回転軸に着脱可能に装着され、耕耘爪取付け胴部の外周に多数の耕耘爪を取付けた耕耘ロ−タにおいて、上記両耕耘ロ−タの外側端部に、外周部分に複数の刃を形成した側板を反転して着脱可能に設け、上記側板の左右のものを交換可能とすると共に、上記刃を、一方に回転したときは土壌に対して食い込み勝手に、他方に回転したときは土壌に対して浮き上がり勝手に作用するように構成したことを特徴としている。
【０００５】
【作用】
上記の構成によって本発明の耕耘ロ−タは、作業対象土壌が柔らかい場合には、左右の側板を、土壌に対して浮き上がり勝手に作用するように装着することで、側板の浮き上がり作用により作業中に耕耘ロ−タが沈み込もうとするのが防止される。また、作業対象土壌が硬い場合には、左右の側板を反転して入れ替え、土壌に対して食い込み勝手に作用するように装着することで、作業中に側板による食い込み作用によって耕耘ロ−タが浮き上がるのが防止される。
【０００６】
【発明の実施の形態】
以下、本発明の実施の形態を、添付の図面を参照して具体的に説明する。
図において符号１は、周知の図示しない歩行型の動力耕耘機の伝動ケースの下端部から左右両側に突出した回転軸に着脱可能に装着される耕耘ロ−タである。
この耕耘ロ−タ１は、耕耘爪取付け胴部２の外周に、多数の爪取付け部３及びボルト・ナット４を介して耕耘爪５を取付けたもので、左右一対のものからなり、矢印方向に回転するようにして使用される。左右の耕耘ロ−タ１は対称であるだけで同じ構成なので、その一方についてのみ説明する。
【０００７】
耕耘ロ−タ１の内側端の耕耘爪取付け胴部２の軸心部には、軸心方向に筒状の回転軸取付け部６が設けられ、この回転軸取付け部６を上記回転軸に挿通して、これと直交する方向に耕耘爪取付け胴部２の外周から穿設した固定孔７に対して固定ピン８を回転軸取付け部６及び回転軸を貫通して挿通し、固定ピン８の先端部に図示しない抜け止めピンを挿通して抜け止めし、固定するようにしている。
【０００８】
上記耕耘爪取付け胴部３は、水平方向の長さが長く、側面（断面）が６角形状の筒体をしており、この筒体の外側端部には、外周部分に３つの刃９ａを周方向に等配して形成した，本発明に係る側板９が着脱可能に、かつ左右のものを反転して交換可能に設けられている。上記３つの刃９ａは、側面が湾曲して、それぞれ一方に回転したときは側面が抵抗無く土壌に食い込み土壌に対して食い込み勝手に、他方に回転したときは側面が抵抗となって浮力が働き土壌に対して浮き上がり勝手に作用するように形成され、作業対象の圃場の土壌の硬さに応じて左右のものを交換して使用できるようになっている。
【０００９】
また、耕耘爪取付け胴部２の断面６角形をした各角部には、回転方向（矢印方向）に対し、前側の傾斜が緩く、後ろ側の傾斜がきつくなるように傾斜した段部２ａが形成されており、この段部２ａの直後の胴面上に上記爪取付け部３が耕耘爪取付け胴部２の長さ方向及び周方向に均等配分されて固設されている。そして、耕耘ロ−タ１が回転して作業するとき、段部２ａにより耕土が爪取付け部３及びボルト・ナット４に直接当たって摩耗するのが少なくなるようにしている。
【００１０】
上記耕耘爪取付け胴部２は、この実施例では左右２つのものを、後述する着脱手段により着脱可能に連結しており、さらに、別の耕耘爪取付け胴部２を連結して延長することも可能となっている。また、耕耘爪取付け胴部２の何れの外側端にも、上記側板９が同様の着脱手段により着脱可能となっている。
【００１１】
上記各耕耘爪取付け胴部２の外側端部の軸心位置には、断面６角形の連結軸嵌挿孔（軸筒）１０が設けられ、この連結軸嵌挿孔１０に対応する連結側の耕耘爪取付け胴部２の内側端部の軸心部に、断面が６角形をした連結軸１１が突設されている。また、連結する側の耕耘爪取付け胴部２の外周位置に連結ピン１２が、連結される側の耕耘爪取付け胴部２に向け突設されている。この連結ピン１２と対応して連結される側の耕耘爪取付け胴部２の外周位置に連結ピン挿通突起１３が設けられている。
【００１２】
そして、連結される側の耕耘爪取付け胴部２の連結軸嵌挿孔１０及び連結ピン挿通突起１３に、連結する側の耕耘爪取付け胴部２の連結軸１１及び連結ピン１２を挿通し、連結ピン１２の先端部に抜け止めピン１４を挿通して抜け止めするようにしている。また、上記側板９の内側面軸心部及びその外周部に、連結される側の耕耘爪取付け胴部２の連結軸嵌挿孔１０及び連結ピン挿通突起１３に挿通される連結軸１５及び連結ピン１６が設けられていて、上記耕耘爪取付け胴部２同士を連結する場合と同様にして耕耘爪取付け胴部２の外側端部に連結されるようになっている。
【００１３】
次に、上記のように構成された本発明による耕耘ロ−タの動作について説明する。
【００１４】
図示しない動力耕耘機の伝動ケースの下端部から左右両側に突出している回転軸に対して、回転軸取付け部６、固定孔７、固定ピン８を介してそれぞれ耕耘ロ−タ１を取付けて、作業者は耕耘機のハンドルを持って左右の耕耘ロ−タ１を回転させながら機体を前進させ、同時に耕耘、砕土、中耕、代掻、培土など各種の作業を行う。
【００１５】
このとき耕耘ロ−タ１においては、その内端部が回転軸に対して取付けられた第１のロ−タに対して、その外側端部に第２のロ−タが連結され、この第２のロ−タの外側端部に側板９が取付けられている。そして、左右の側板９は、作業対象の圃場の土壌の硬さに応じて左右のものを選択して用いる。即ち、作業対象土壌が火山灰土、砂地、湿田などのように柔らかくて耕耘爪５が土中に深く入り込み、耕耘ロ−タ１が沈下しやすい場合には、左右の側板９の刃９ａ，９ａ…が土壌に対して浮き上がり勝手に作用するように装着することで、側板９の浮き上がり作用により作業中に耕耘ロ−タ１が沈み込むのが防止される。
【００１６】
また、作業対象土壌が乾燥した粘土質土壌のように硬くて耕耘爪５が土中に浅くしか入りにくく、耕耘爪５の耕耘反力により耕耘ロ−タ１が浮き上がりやすい場合には、左右の側板９の刃９ａ，９ａ…が土壌に対して食い込み勝手に作用するように装着することで、作業中に側板９による食い込み作用によって耕耘爪５の耕深が深くなり、耕耘ロ−タ１が浮き上がるのが阻止される。
【００１７】
上記耕耘ロ−タ１は、第１のロ−タから第２のロ−タを取り外し、第１のロ−タの外側端部に側板９を取付けて作業することもできる。また、第２のロ−タから側板９を取り外し、第２のロ−タの外側端部に第３のロ−タを取付けて延長し、この第３のロ−タの外側端部に側板９を取付けて作業することもできる。側板９を取り外して耕耘ロ−タのみで作業することもできる。耕耘ロ−タ１及び側板９の着脱操作は、連結ピン１２，１５の先端部に挿通されている抜け止めピン１４等を挿脱することにより簡単に行うことができる。
【００１８】
そして、耕耘ロ−タ２は、側板９の作用により、作業対象の圃場の土壌が硬い場合、あるいは柔らかい場合でも、ほぼ同じ状態の安定した，スムーズな作業を行うことができる。従って、耕耘機のハンドルを持って作業する作業者は、従来のように、ハンドルを下方に押さえつけたり、あるいは持ち上げ気味にしたりする必要がなく、疲労が少なくなる。また、側板９が装着されていることにより、機体の直進性が良好となり、作業がやりやすく、作業精度を向上させることができる。
【００１９】
【発明の効果】
以上説明したように本発明の耕耘ロ−タによれば、左右両耕耘ロ−タの外側端部に、外周部分に複数の刃を形成した側板を反転して着脱可能に設け、該側板の左右のものを交換可能とすると共に、上記刃を、一方に回転したときは土壌に対して食い込み勝手に、他方に回転したときは土壌に対して浮き上がり勝手に作用するように構成したので、作業対象土壌が柔らかい場合には、左右の側板を、土壌に対して浮き上がり勝手に作用するように装着することで、側板の浮き上がり作用により作業中に耕耘爪の食い込みによって耕耘ロ−タが沈み込もうとするのが防止される。従って、耕耘ロ−タの耕耘抵抗が少なくなり、耕耘機のハンドルを握って作業する作業者は、機体を持ち上げ気味に作業をする必要がなく、疲労が軽減される。
【００２０】
また、作業対象土壌が硬い場合には、左右の側板を、土壌に対して食い込み勝手に作用するように装着することで、作業中における側板の食い込み作用によって耕耘ロ−タが浮き上がるのが防止され、耕耘爪により適正な深さの作業が行われる。従って、耕耘機のハンドルを握って作業する作業者は、機体を押え気味に作業をする必要がなく、疲労が軽減される。
【図面の簡単な説明】
【図１】本発明による片側の耕耘ロ−タの分解斜視図である。
【図２】同耕耘ロ−タの平面図である。
【図３】同耕耘ロ−タの底面図である。
【図４】同耕耘ロ−タの側板側からの側面図である。
【図５】同耕耘ロ−タの回転軸取付け側からの側面図である。
【符号の説明】
１  耕耘ロータ
２  耕耘爪取付け胴部  ２ａ  段部
３  爪取付け部
４  ボルト・ナット
５  耕耘爪
６  回転軸取付け部
７  固定孔
８  固定ピン
９  側板  ９ａ  刃
１０  連結軸嵌挿孔（軸筒）
１１，１５  連結軸
１２，１６  連結ピン
１３  連結ピン挿通突起
１４  抜け止めピン
【図１】
0004039496.tif 000002
【図２】
0004039496.tif 000003
【図３】
0004039496.tif 000004
【図４】
0004039496.tif 000005
【図５】
0004039496.tif 000006